(57)【特許請求の範囲】
【請求項１】
建物の外周部分に施工された布基礎の立ち上がり部の外側面及び／又は内側面に上面が前記立ち上がり部の天端より低くなるように密着した断熱材の内部を白アリが通過して軸組及び床組へ侵入するのを物理的に防止する建物の防蟻構造であって、
前記断熱材の少なくとも上面を、前記白アリの分泌物に耐性の耐腐食性材料で構成されかつ複数のアンカー孔を有するシート材で被覆し、前記断熱材の上面に前記シート材を介して更に断熱材を取付けると共に、前記シート材の２つの縁部の少なくとも一方の縁部を前記上下２段の断熱材のいずれか一方の断熱材の側面に取付けたことを特徴とする建物の防蟻構造。
【請求項２】
建物の外周部分に設けられた立ち上がり部と基礎スラブとを有するべた基礎の前記立ち上がり部の外側面及び／又は内側面に上面が前記立ち上がり部の天端より低くなるように密着した断熱材の内部を白アリが通過して軸組及び床組へ侵入するのを物理的に防止する建物の防蟻構造であって、
前記断熱材の少なくとも上面を、前記白アリの分泌物に耐性の耐腐食性材料で構成されかつ複数のアンカー孔を有するシート材で被覆し、前記断熱材の上面に前記シート材を介して更に断熱材を取付けたことを特徴とする建物の防蟻構造。
【請求項３】
建物の外周部分に設けられた立ち上がり部と基礎スラブとを有するべた基礎の前記立ち上がり部の外側面及び／又は内側面に上面が前記立ち上がり部の天端より低くなるように密着した断熱材の内部を白アリが通過して軸組及び床組へ侵入するのを物理的に防止する建物の防蟻構造であって、
前記断熱材の少なくとも上面を、前記白アリの分泌物に耐性の耐腐食性材料で構成されかつ複数のアンカー孔を有するシート材で被覆し、前記断熱材の上面に前記シート材を介して更に断熱材を取付けると共に、前記シート材の２つの縁部の少なくとも一方の縁部を前記上下２段の断熱材のいずれか一方の断熱材の側面に取付けたことを特徴とする建物の防蟻構造。
【請求項４】
前記シート材の立ち上がり部側の縁部を前記立ち上がり部に埋設したことを特徴とする請求項２記載の建物の防蟻構造。
【請求項５】
前記シート材が地盤面より高い位置にあることを特徴とする請求項１乃至４のいずれか記載の建物の防蟻構造。
【請求項６】
前記シート材が可撓性を有することを特徴とする請求項１乃至５のいずれか記載の建物の防蟻構造。
【請求項７】
前記シート材が、少なくともいずれかの方向において前記白アリの頭部横断面の最大寸法の２倍以下の寸法である複数のアンカー孔を有することを特徴とする請求項１乃至６のいずれか記載の建物の防蟻構造。
【発明の詳細な説明】
【０００１】
【発明の属する技術分野】
この発明は、建物の断熱基礎に使用される断熱材の内部を白アリが通過して軸組や床組へ侵入するのを物理的に防止する建物の防蟻構造に関する。
【０００２】
【従来の技術】
建物における従来の白アリ防除技術としては、例えば、(1) 建物の床下の地盤（土壌）と、地面から１ｍ以内の木部とを薬剤で処理する方法や、(2) 白アリの活動をモニタリングしながら、侵入してきた白アリに少量の薬剤を含む毒餌を摂食させて根絶するベイト工法（レスケミカル法）等が知られている。
【０００３】
しかしながら、上記のような従来例(1) においては、薬剤に起因する化学物質過敏症等の問題があり、即ち、建物内の環境が化学物質によって汚染されるという問題点がある。
【０００４】
また、従来例(2) においては、白アリに毒餌を摂食させ、コロニー全体の活力を衰退させることを目的とするので、その開始から終了までに少なくとも数カ月〜２年程度の長期間を要するという問題点がある。
【０００５】
そこで、これらの問題が発生しないように、(3) 薬剤を全く使用しない、ステンレスメッシュや破砕石等の物理的なバリアーを構築する物理的工法（ケミカルフリー法）等が提案されている。この物理的工法に使用されるバリアー材としては、例えば、特許第２６５２９０２号公報及び特表平８−５０６８６８号公報に開示されているように、白アリの分泌物に耐性で且つ少なくとも約７０のショア硬度を有する耐腐食性材料の編み目シートからなり、この編み目の孔がいずれの方向においても制御すべき白アリ種の頭部横断面の最大寸法より小径である白アリバリアー材等がある。
【０００６】
【発明が解決しようとする課題】
しかしながら、上記のような従来例(3) においては、断熱基礎等に使用される断熱材の内部を白アリが通過するのを防止することについては開示されていない。
【０００７】
この発明は、以上のような問題点に鑑みてなされたものであり、断熱基礎に使用される断熱材の内部を白アリが通過して軸組や床組へ侵入するのを物理的に防止できる建物の防蟻構造を提供することを目的とする。
【０００８】
【課題を解決するための手段】
上記目的を達成するための手段とするところは、第１に、建物の外周部分に施工された布基礎の立ち上がり部の外側面及び／又は内側面に上面が前記立ち上がり部の天端より低くなるように密着した断熱材の内部を白アリが通過して軸組及び床組へ侵入するのを物理的に防止する建物の防蟻構造であって、前記断熱材の少なくとも上面を、前記白アリの分泌物に耐性の耐腐食性材料で構成されかつ複数のアンカー孔を有するシート材で被覆し、前記断熱材の上面に前記シート材を介して更に断熱材を取付けると共に、前記シート材の２つの縁部の少なくとも一方の縁部を前記上下２段の断熱材のいずれか一方の断熱材の側面に取付けたことにある。
【０００９】
第２に、建物の外周部分に設けられた立ち上がり部と基礎スラブとを有するべた基礎の前記立ち上がり部の外側面及び／又は内側面に上面が前記立ち上がり部の天端より低くなるように密着した断熱材の内部を白アリが通過して軸組及び床組へ侵入するのを物理的に防止する建物の防蟻構造であって、前記断熱材の少なくとも上面を、前記白アリの分泌物に耐性の耐腐食性材料で構成されかつ複数のアンカー孔を有するシート材で被覆し、前記断熱材の上面に前記シート材を介して更に断熱材を取付けたことにある。
【００１０】
第３に、建物の外周部分に設けられた立ち上がり部と基礎スラブとを有するべた基礎の前記立ち上がり部の外側面及び／又は内側面に上面が前記立ち上がり部の天端より低くなるように密着した断熱材の内部を白アリが通過して軸組及び床組へ侵入するのを物理的に防止する建物の防蟻構造であって、前記断熱材の少なくとも上面を、前記白アリの分泌物に耐性の耐腐食性材料で構成されかつ複数のアンカー孔を有するシート材で被覆し、前記断熱材の上面に前記シート材を介して更に断熱材を取付けると共に、前記シート材の２つの縁部の少なくとも一方の縁部を前記上下２段の断熱材のいずれか一方の断熱材の側面に取付けたことにある。
【００１２】
第４に、前記シート材の立ち上がり部側の縁部を前記立ち上がり部に埋設したことにある。
【００１６】
第５に、前記シート材が地盤面より高い位置にあることにある。
【００１７】
第６に、前記シート材が可撓性を有することにある。
【００１８】
第７に、前記シート材が、少なくともいずれかの方向において前記白アリの頭部横断面の最大寸法の２倍以下の寸法である複数のアンカー孔を有することにある。
【００１９】
【発明の実施の形態】
以下、この発明の実施形態を図面に基づいて説明する。
図１乃至図４に示すように、第１実施形態に係る建物Ａの防蟻構造は、例えば、建物Ａの外周部分に施工された布基礎１の立ち上がり部２の外側面２ａに密着した断熱材３の内部を白アリ４が通過して軸組Ｂ及び床組Ｃへ侵入するのを物理的に防止するものであって、前記断熱材３の上面３ｃを、前記白アリ４の分泌物に耐性の耐腐食性材料で構成された例えばステンレスメッシュ（シート材）５で被覆すると共に、このステンレスメッシュ５の２つの縁部５ａ，５ｂを前記断熱材３の外側面３ａと内側面３ｂにそれぞれ取付けたものである。
【００２０】
前記布基礎１は、建物Ａの外周部分に平面視で例えば矩形状等に施工され、図１及び図２に示すように、立ち上がり部２とベース部６とから横断面が例えば逆Ｔ字状に形成されている。
【００２１】
前記断熱材３は、例えば合成樹脂発泡体等から構成され、前記立ち上がり部２の外側面２ａに密着している。なお、この断熱材３は、布基礎１を施工してから立ち上がり部２に接着等してもよいし、あるいは断熱材３を配置してから立ち上がり部２等を打設してもよい。また、この実施形態においては、断熱材３と立ち上がり部２がほぼ同じ高さに形成されているが、これに限定されるものではなく、断熱材３の高さや取付け位置等は必要に応じて適宜変更可能である。
【００２２】
前記白アリ４とは、ゴキブリに近縁の社会生活をする不完全変態の昆虫であって、シロアリ目（等翅類）Isopteraの総称である。このような白アリ４としては、例えば、ヤマトシロアリやイエシロアリ等の各種の白アリが挙げられる。また、この白アリ４は、図３に示すように、非変形性の堅い頭部４ａを有する一方、比較的柔らかくて弱い体部４ｂを有している。
【００２３】
前記ステンレスメッシュ５は、図４に示すように、白アリ４の分泌物に耐性で且つ少なくとも約７０のショア硬度を有する耐腐食性材料であるステンレス鋼ワイヤー５ｃ等から製織されて複数の編み目（アンカー孔）７を有している。このようなステンレスメッシュ５としては、例えば、「ターミーメッシュ（ＴＥＲＭＩ−ＭＥＳＨ）」（商品名、ターミーメッシュ・オーストラリア社製）等を好適に使用することができる。
【００２４】
なお、白アリバリアー材として使用されるシート材としては、このようなステンレスメッシュ５に限定されるものではなく、白アリ４から放出されるギ酸等の分泌物に耐性で且つ白アリ４が噛み砕くことができない硬さ、好ましくは少なくとも約７０のショア硬度を有すると共に、使用環境下で数十年の耐用年数を有する耐腐食性材料で構成されていれば、種々のものを使用することができる。このようなシート材としては、例えば、セラミックス、ガラス、合成樹脂等の繊維、フィラメント、ストランド等から製織又は製編等されたシートや不織布、あるいは金属板、金属シート等が挙げられる。
【００２５】
前記ステンレスメッシュ５等のシート材は、断熱材３に、例えば釘、ビス、ステープル等の止着部材や接着剤、あるいは熱溶着等によってあらかじめ工場等で取付けられるか又は建物Ａの建築現場で取付けられる。なお、シート材を釘等の止着部材で取付ける場合には、必要に応じてこの止着部材を例えば銅、亜鉛、黄銅等で構成したり、あるいは含有させたりして、白アリ忌避効果を発揮させるようにしておいてもよい。
【００２６】
ここで、シート材がステンレスメッシュ５等のように可撓性を有する場合には、建築現場での賦形等が可能であるので、シート材を建築現場で取付ける際の施工が簡単であるという利点がある。なお、可撓性を有しない場合には、工場生産等により、シート材を取付けようとする断熱材３の所定箇所の形状に合わせてあらかじめ適宜の形状に製造しておけばよい。
【００２７】
また、シート材が前記編み目７等の複数のアンカー孔を有する場合には、断熱材３にシート材を接着又は熱溶着等する際に、アンカー効果によりこれらをより強固に一体化できるという利点がある。なお、複数のアンカー孔を有するシート材としては、前記ステンレスメッシュ５の他、例えばアンカー孔を打ち抜いて形成したパンチングメタル等が挙げられる。
【００２８】
この場合、アンカー孔の寸法が、少なくともいずれかの方向において前記白アリ４の頭部４ａの横断面の最大寸法Ｈの２倍以下である時には、白アリ４の頭部４ａが通り抜けないか又は頭部４ａが通り抜けても柔らかい体部４ｂ等がアンカー孔に接触するような寸法であり、白アリ４がそれを嫌うので、白アリ４がシート材を通り抜けるのを阻止することができる。また、アンカー孔の寸法を比較的大きくできるので、シート材の材料コストを低減化できると共に、寸法精度も低くてよいために製造も簡単であるという利点がある。
【００２９】
なお、前記最大寸法Ｈは、例えばイエシロアリの職蟻で１．１〜１．２５ｍｍ程度、ヤマトシロアリの職蟻で１．０〜１．２ｍｍ程度であるので、ヤマトシロアリが生息する地域では、アンカー孔の寸法を少なくともいずれかの方向において２．４ｍｍ程度以下としておくのが望ましい。このアンカー孔の形状は特に限定されるものではなく、矩形状や円状等の適宜の形状とすることができる。要するに、アンカー孔の寸法が、いずれか一方向、あるいは２以上の方向において２Ｈ以下であればよい。
【００３０】
ここで、シート材がステンレスメッシュ５等のメッシュ状部材である場合には、その繊維、フィラメント、又はストランド等の数を少なくできるので、コストダウンをより効果的に図ることができるという利点がある。
【００３１】
また、アンカー孔の寸法が２Ｈを超えるが３Ｈ以下である場合には、シート材に、少なくともセメントと細骨材とを含有する例えばモルタルや接着セメント等の表面材を塗布しておけば、前記細骨材等により白アリ４の通り抜けを阻止することができる。アンカー孔の寸法が３Ｈを超える場合には、表面材を塗布しておいても白アリ４が通り抜ける可能性があるので好ましくない。なお、２Ｈ以下の場合でも、表面材を塗布しておいても差し支えない。
【００３２】
前記表面材には、強度、耐クラック性、接着性、水密性、耐摩耗性等を向上させるために、前記接着セメントに含有されるセメント接着剤等のポリマーを添加しておくのが望ましく、また、必要に応じて例えば亜鉛や銅、あるいは亜鉛化合物や銅化合物等の白アリ忌避剤を添加しておいてもよい。この表面材は、断熱材３にシート材を接着又は熱溶着等して一体化してから塗布してもよいし、あるいは断熱材３にこの表面材でシート材を接着してもよい。
【００３３】
このように、断熱材３の少なくとも上面３ｃをステンレスメッシュ５等のシート材で被覆しておけば、地盤８等から断熱材３に侵入した白アリ４がこの断熱材３の内部を通過して軸組Ｂや床組Ｃへ侵入するのを防止できるという利点がある。
【００３４】
なお、シート材の被覆範囲としては、この実施形態に限定されるものではなく、例えば図５に示すように断熱材３の上面３ｃだけを被覆しておいてもよいが、好ましくは図６及び図７に示すように、シート材の２つの縁部５ａ，５ｂのいずれか一方を断熱材３の外側面３ａ又は内側面３ｂに取付けることにより、断熱材３の上面３ｃにおける２つの角部９ａ，９ｂのいずれか一方と上面３ｃとを横断面Ｌ字状に、より好ましくは図１及び図２のように、２つの角部９ａ，９ｂと上面３ｃとを横断面コ字状に被覆しておくのが望ましい。即ち、前記角部９ａ，９ｂにおいては、断熱材３の内部を上面３ｃ付近まで進行した白アリ４がこれら角部９ａ，９ｂから上方へ回り込むように進行する可能性があるので、これら角部９ａ，９ｂをシート材で被覆しておけば、白アリ４のこの回り込みを防止できるという利点がある。
【００３５】
また、この建物Ａにおいては、前記布基礎１の内方に形成される床下空間１０の防湿を図ること等を目的として、前記布基礎１の内方の地盤面８ａ上に、この実施形態のように必要に応じて防湿シート１１を敷設すると共に、その上から例えば捨てコン、乾燥砂、乾燥砂利等の押さえ層１２を設けておいてもよい。
【００３６】
図８に示すように、第２実施形態に係る建物Ａの防蟻構造は、第１実施形態において、前記ステンレスメッシュ５の立ち上がり部２側の縁部５ｂをより長く形成しておき、この縁部５ｂを、立ち上がり部２とこの立ち上がり部２上に載置される土台１３との間に介在する気密パッキン１４の下に挟んだものである。
【００３７】
このようにして前記縁部５ｂを立ち上がり部２上に固定しておけば、断熱材３と立ち上がり部２との間に隙間が形成されている場合でも、この隙間から軸組Ｂや床組Ｃへ白アリ４が侵入するのを防止できるという利点がある。
【００３８】
なお、この場合、図９に示すように、断熱材３の上面３ｃだけをステンレスメッシュ５等で被覆しておいてもよいが、断熱材３の外側面３ａ側の角部９ａからの白アリ４の回り込みを防止するためには、この実施形態のように、ステンレスメッシュ５等の他方の縁部５ａを断熱材３の外側面３ａに取付けてこの角部９ａをも被覆しておくのが望ましい。
【００３９】
前記気密パッキン１４としては、従来公知の種々の構成のものが挙げられ、この気密パッキン１４の下に前記縁部５ｂの一部だけが挟まれていてもよい。また、図１０に示すように、断熱材３の外側面３ａ側の角部９ａや上面３ｃをステンレスメッシュ５等で被覆すると共に、気密パッキン１４の下に挟まれるステンレスメッシュ５等の縁部５ｂを更に立ち上がり部２の内側面２ａ側の角部１５ｂに沿って折曲する場合等において、あらかじめ立ち上がり部２と断熱材３の厚さの和とほぼ同じ幅の開口部を有する横断面がコ字状のステンレスメッシュ５等を用意しておき、この横断面がコ字状のステンレスメッシュ５等を上方から載置するようにすれば、ステンレスメッシュ５等のシート材の位置決めが簡単であると共に、固定するまでのずれも防止できるという利点がある。
【００４０】
更に、前記縁部５ｂの固定手段もこの実施形態に限定されるものではなく、この縁部５ｂを前記気密パッキン１４の下に挟む代わりに、コンクリートを打設して施工される立ち上がり部２に埋設してもよい。この場合も上記と同様、断熱材３と立ち上がり部２との間に隙間が形成されていても、この隙間から軸組Ｂや床組Ｃへ白アリ４が侵入するのを防止することができる。ここで、図１１に示すように、前記縁部５ｂを立ち上がり部２の天端に施工されるならしモルタル１６に埋設する場合には、断熱材３を配置してから立ち上がり部２等を打設する手順に加え、布基礎１を施工してから断熱材３を密着させることもできるので、施工の自由度が大きいという利点がある。
【００４１】
以上の第１及び第２実施形態においては、前記断熱材３が立ち上がり部２の外側面２ａに密着している場合について説明したが、これに限定されるものではなく、図１２に示すように立ち上がり部２の内側面２ｂに密着していてもよいし、あるいは図１３に示すように立ち上がり部２の外側面２ａと内側面２ｂの両方に密着していてもよい。
【００４２】
断熱材３が立ち上がり部２の両側面２ａ，２ｂに密着している場合、これらの上面３ｃ等を別々のステンレスメッシュ５等で被覆しておいてもよいが、既述の図１０に示す例の場合と同様、図１３のように、立ち上がり部２と双方の断熱材３の厚さの和とほぼ同じ幅の開口部を有する横断面がコ字状のステンレスメッシュ５等をあらかじめ用意しておき、この横断面がコ字状のステンレスメッシュ５等を上方から載置するようにすれば、位置決めが簡単であると共に、固定するまでのずれも防止することができる。また、この場合、ステンレスメッシュ５等の中央部分は、既述と同様、前記気密パッキン１４の下に挟んだり、あるいは前記ならしモルタル１６に埋設したりすればよい。
【００４３】
加えて、前記布基礎１の内方には、図１３のように必要に応じて土間床１７を施工しておいてもよいし、あるいは更に土間床１７の下方の所定範囲に断熱材１８を敷設しておいてもよい。なお、この場合、土間床１７と布基礎１等との打ち継ぎ部分や、土間床１７と布基礎１の内方に設けられた布基礎１９等との打ち継ぎ部分２０から床下空間１０への白アリ４の侵入を防止するために、これら打ち継ぎ部分２０等の上方又は下方に、シート材をこれら打ち継ぎ部分２０等を閉塞するようにそれぞれ取付けておくのが望ましい。
【００４４】
また、前記布基礎１の内方に設けられる基礎としては、図１、図１２、及び図１３に示すような間仕切基礎等の布基礎１９に限定されるものではなく、他に例えば束基礎等の独立基礎等が挙げられる。また、このような基礎と共に又は基礎に代えて、束石が設けられていてもよい。
【００４５】
図１４に示すように、第３実施形態に係る建物Ａの防蟻構造は、第１実施形態において、前記断熱材３を、建物Ａの外周部分に設けられた立ち上がり部２１と、例えば外周部分が厚肉とされた基礎スラブ２２とを有するべた基礎２３の前記立ち上がり部２１の外側面２１ａに密着させたものである。
【００４６】
なお、断熱材３は、この実施形態のように前記基礎スラブ２２の外側面２２ａにも密着するようにしておいてもよい。また、図１５に示すように、立ち上がり部２１の内側面２１ｂに密着させておいてもよいし、あるいは立ち上がり部２１の外側面２１ａと内側面２１ｂの両方に密着させておいてもよい。
【００４７】
更に、べた基礎の構成としては特に限定されるものではなく、図１６乃至図１８に示すように、例えば外周部分が厚肉とされていない基礎スラブ２４を有するべた基礎２５等であってもよく、この場合も同様に、立ち上がり部２１の外側面２１ａと内側面２１ｂのいずれか一方又は両方に断熱材３を密着させておけばよい。
【００４８】
また、これらのべた基礎２３，２５における前記立ち上がり部２１の内方には、図１４及び図１５に示す立ち上がり部２６を施工することもできるし、あるいは図１６乃至図１８に示すように、必要に応じて基礎スラブ２４の所定箇所を他の部分より厚肉に形成しておき、この厚肉部分に、例えば円柱状等に形成される柱状体２７等を立設することもできる。
【００４９】
このように、べた基礎２３，２５においても布基礎１の場合と同様、断熱材３の少なくとも上面３ｃをステンレスメッシュ５等のシート材で被覆しておけば、地盤８等から断熱材３に侵入した白アリ４がこの断熱材３の内部を通過して軸組Ｂや床組Ｃへ侵入するのを防止できるという利点がある。
【００５０】
また、第２実施形態と同様、この実施形態においてもステンレスメッシュ５等の立ち上がり部２１側の縁部５ｂをより長く形成しておき、この縁部５ｂを前記気密パッキン１４の下に挟んだり、あるいは立ち上がり部２１の天端に施工されるならしモルタルに埋設したりしておけば、断熱材３と立ち上がり部２１との間に隙間が形成されていても、この隙間から軸組Ｂや床組Ｃへ白アリ４が侵入するのを防止することができる。
【００５１】
図１９に示すように、第４実施形態に係る建物Ａの防蟻構造は、第１実施形態において、前記断熱材３の高さを低く形成して立ち上がり部２の外側面２ａの下方側に密着させていると共に、この断熱材３の上面３ｃに前記ステンレスメッシュ５を介して更に高さの低い断熱材２８を取付けたものである。
【００５２】
上段の断熱材２８は、下段の断熱材３にステンレスメッシュ５を例えば釘、ビス、ステープル等の止着部材や接着剤、あるいは熱溶着等によってあらかじめ取付けるか又は建築現場で取付けた後、このステンレスメッシュ５の上から接着剤や接着セメント等で取付けてもよいし、あるいはこれら上下２段の断熱材３，２８の間にあらかじめステンレスメッシュ５を埋設等して形成した一体化物を前記立ち上がり部２の外側面２ａ等に密着するようにしてもよい。
【００５３】
このように、上下２段の断熱材３，２８の間にステンレスメッシュ５等のシート材を介在させておけば、地盤８から下段の断熱材３に侵入した白アリ４の進行は、このシート材により阻止される。そのため、上段の断熱材２８を白アリ４による食害から保護でき、この断熱材２８の内部を白アリ４が通過して軸組Ｂや床組Ｃへ侵入するのを防止できるという利点がある。
【００５４】
ここで、この実施形態のように、シート材が地盤面８ａより高い位置にある場合には、上段の断熱材２８が地盤８と接しないので、この上段の断熱材２８をより効果的に保護できるという利点がある。
【００５５】
また、この場合も第１実施形態と同様、ステンレスメッシュ５等の２つの縁部５ａ，５ｂの少なくとも一方を例えば下段の断熱材３の外側面３ａ又は内側面３ｂ等に取付けることにより、この下段の断熱材３の上面３ｃにおける２つの角部９ａ，９ｂの少なくとも一方をもステンレスメッシュ５等で被覆しておけば、これら角部９ａ，９ｂから白アリ４が回り込んで上段の断熱材２８の内部へ侵入するのを防止できるという利点がある。
【００５６】
なお、ステンレスメッシュ５等の縁部５ａ，５ｂは、下段の断熱材３だけに取付ける場合に加え、図２０に示すように上段の断熱材２８だけに取付けもよいし、あるいは図２１に示すように上下２段の断熱材３，２８それぞれに取付けてもよい。
【００５７】
また、図２２に示すように、ステンレスメッシュ５等の立ち上がり部２側の縁部５ｂを立ち上がり部２に埋設することもでき、この場合には第２実施形態と同様、下段の断熱材３と立ち上がり部２との間に隙間が形成されていても、この隙間から上段の断熱材２８へ白アリ４が侵入するのを防止できるという利点がある。
【００５８】
更に、この実施形態においては、前記立ち上がり部２の外側面２ａに断熱材３，２８を取付ける場合について説明したが、これに限定されるものではなく、立ち上がり部２の内側面２ｂだけ、あるいは外側面２ａと内側面２ｂの両方に取付けるようにしてもよい。また、布基礎１の他、第３実施形態のようなべた基礎２３，２５に施工してもよい。
【００５９】
以上の第１乃至第４実施形態においては、断熱基礎に使用される断熱材３，２８の内部を白アリ４が通過して軸組Ｂや床組Ｃへ侵入するのを防止する場合について説明したが、これに加え、前記床下空間１０からの侵入をも防止するためには、例えば、
▲１▼  前記布基礎１の内方にシート材を張り渡すようにして設ける、
▲２▼  前記布基礎１の内面と、この布基礎１の内方に設けられた布基礎１９等の側面に、シート材を前記床下空間１０内へその上縁部が突出するようにしてそれぞれ取付ける、
▲３▼  少なくとも前記立ち上がり部２，２１と軸組Ｂの間、及び前記布基礎１９等と軸組Ｂ又は床組Ｃの間にシート材をそれぞれ介在させると共に、これらシート材の前記床下空間１０内に突出する縁部をそれぞれ下方側へ折曲する、
▲４▼  前記軸組Ｂに使用される土台１３等の構成部材及び床組Ｃに使用される大引き２９等の構成部材の少なくとも下面をシート材でそれぞれ被覆する、
▲５▼  前記軸組Ｂ及び床組Ｃの下面をシート材で全面に渡って被覆する、
等の手段をも講じるのが望ましい。
【００６０】
【発明の効果】
以上のように、請求項１の発明によれば、前記布基礎において、前記断熱材の上面に前記シート材を介して更に断熱材を取付けると共に、前記シート材の２つの縁部の少なくとも一方の縁部を前記上下２段の断熱材のいずれか一方の断熱材の側面に取付けているので、上段の断熱材の内部を白アリが通過して軸組や床組へ侵入するのを防止できると共に、下段の断熱材の上面における角部から上段の断熱材へ白アリが回り込むのを防止できるという利点がある。
【００６１】
請求項２の発明によれば、前記べた基礎において、前記断熱材の上面に前記シート材を介して更に断熱材を取付けているので、地盤から下段の断熱材に侵入した白アリの進行がこのシート材により阻止される。そのため、上段の断熱材を白アリによる食害から保護でき、この上段の断熱材の内部を白アリが通過して軸組や床組へ侵入するのを防止できるという利点がある。
【００６２】
請求項３の発明によれば、前記べた基礎において、前記断熱材の上面に前記シート材を介して更に断熱材を取付けると共に、前記シート材の２つの縁部の少なくとも一方の縁部を前記上下２段の断熱材のいずれか一方の断熱材の側面に取付けているので、上段の断熱材の内部を白アリが通過して軸組や床組へ侵入するのを防止できると共に、下段の断熱材の上面における角部から上段の断熱材へ白アリが回り込むのを防止できるという利点がある。
【００６４】
請求項４の発明によれば、前記シート材の立ち上がり部側の縁部を前記立ち上がり部に埋設しているので、断熱材と立ち上がり部との間に隙間が形成されていても、この隙間から軸組や床組へ白アリが侵入するのを防止することができる。
【００６８】
請求項５の発明によれば、前記シート材が地盤面より高い位置にあり、上段の断熱材が地盤と接しないので、この上段の断熱材をより効果的に保護できるという利点がある。
【００６９】
請求項６の発明によれば、前記シート材が可撓性を有するので、建築現場での賦形等が可能であり、そのためシート材を建築現場で取付ける際の施工が簡単であるという利点がある。
【００７０】
請求項７の発明によれば、前記シート材が、少なくともいずれかの方向において前記白アリの頭部横断面の最大寸法の２倍以下の寸法である複数のアンカー孔を有するので、断熱材にシート材を接着又は熱溶着等する際に、アンカー効果によりこれらをより強固に一体化できるという利点がある。また、アンカー孔の寸法が前記最大寸法の２倍以下で、白アリの頭部が通り抜けないか又は頭部が通り抜けても柔らかい体部等がアンカー孔に接触するような寸法であり、白アリがそれを嫌うので、白アリがシート材を通り抜けるのを阻止することができる。また、アンカー孔の寸法を比較的大きくできるので、シート材の材料コストを低減化できると共に、寸法精度も低くてよいために製造も簡単であるという利点がある。
【図面の簡単な説明】
【図１】第１実施形態に係る建物の防蟻構造の縦断面図。
【図２】図１の要部拡大縦断面図。
【図３】  (a) は白アリの平面図、(b) は(a) のＹ−Ｙ線断面図。
【図４】ステンレスメッシュの要部拡大平面図。
【図５】断熱材の上面だけをステンレスメッシュで被覆した状態を示す要部拡大縦断面図。
【図６】ステンレスメッシュの縁部を断熱材の外側面に取付けた状態を示す要部拡大縦断面図。
【図７】ステンレスメッシュの縁部を断熱材の内側面に取付けた状態を示す要部拡大縦断面図。
【図８】第２実施形態に係る建物の防蟻構造の要部拡大縦断面図。
【図９】断熱材の上面だけをステンレスメッシュで被覆した状態を示す要部拡大縦断面図。
【図１０】横断面がコ字状に形成された幅広のステンレスメッシュを取付けた状態を示す要部拡大縦断面図。
【図１１】ステンレスメッシュの立ち上がり部側の縁部をならしモルタルに埋設した状態を示す要部拡大縦断面図。
【図１２】断熱材を立ち上がり部の内側面に密着させた状態を示す縦断面図。
【図１３】断熱材を立ち上がり部の外側面と内側面の両方に密着させた状態を示す縦断面図。
【図１４】第３実施形態に係る建物の防蟻構造の縦断面図。
【図１５】断熱材を立ち上がり部の内側面に密着させた状態を示す縦断面図。
【図１６】他の例に係るべた基礎の立ち上がり部等の外側面に断熱材を密着させた状態を示す縦断面図。
【図１７】図１６のＺ−Ｚ線断面図。
【図１８】断熱材を立ち上がり部の内側面に密着させた状態を示す縦断面図。
【図１９】第４実施形態に係る建物の防蟻構造の要部拡大縦断面図。
【図２０】ステンレスメッシュの２つの縁部を上段の断熱材に取付けた状態を示す要部拡大縦断面図。
【図２１】ステンレスメッシュの２つの縁部を上下２段の断熱材にそれぞれ取付けた状態を示す要部拡大縦断面図。
【図２２】ステンレスメッシュの立ち上がり部側の縁部を立ち上がり部に埋設した状態を示す要部拡大縦断面図。
【符号の説明】
Ａ  建物
Ｂ  軸組
Ｃ  床組
１  布基礎
２  立ち上がり部
２ａ  外側面
２ｂ  内側面
３  断熱材
３ａ  外側面
３ｂ  内側面
３ｃ  上面
４  白アリ
４ａ  頭部
５  ステンレスメッシュ（シート材）
５ａ，５ｂ  縁部
７  編み目（アンカー孔）
１３  土台
１４  気密パッキン
１６  ならしモルタル
２１  立ち上がり部
２１ａ  外側面
２１ｂ  内側面
２２，２４  基礎スラブ
２３，２５  べた基礎
２８  断熱材
【図１】
0003721447.tif 000002
【図２】
0003721447.tif 000003
【図３】
0003721447.tif 000004
【図４】
0003721447.tif 000005
【図５】
0003721447.tif 000006
【図６】
0003721447.tif 000007
【図７】
0003721447.tif 000008
【図８】
0003721447.tif 000009
【図９】
0003721447.tif 000010
【図１０】
0003721447.tif 000011
【図１１】
0003721447.tif 000012
【図１２】
0003721447.tif 000013
【図１３】
0003721447.tif 000014
【図１４】
0003721447.tif 000015
【図１５】
0003721447.tif 000016
【図１６】
0003721447.tif 000017
【図１７】
0003721447.tif 000018
【図１８】
0003721447.tif 000019
【図１９】
0003721447.tif 000020
【図２０】
0003721447.tif 000021
【図２１】
0003721447.tif 000022
【図２２】
0003721447.tif 000023